(57)【特許請求の範囲】
【請求項１】
商品収納部内に互いに上下方向に異なった位置に設けられた複数の商品棚と、商品収納部内を任意の商品棚の位置で上下方向に仕切る仕切板とを備え、仕切板によって仕切られた商品収納部内の上方を加熱し、下方を冷却するようにしたショーケースにおいて、
前記仕切板を少なくとも一部の複数の商品棚の下面に着脱自在に構成した
ことを特徴とするショーケース。
【請求項２】
前記仕切板及び商品棚に、互いに商品収納部の前後方向に着脱自在に係合する係合手段を設けた
ことを特徴とする請求項１記載のショーケース。
【請求項３】
前記仕切板の幅方向両端側に、商品棚と商品収納部の内面との隙間を開閉する開閉部材を商品収納部の幅方向に移動自在に設けた
ことを特徴とする請求項２記載のショーケース。
【請求項４】
前記仕切板の前後方向少なくとも一端側に、商品棚と商品収納部の内面との隙間を開閉する開閉部材を商品収納部の前後方向に移動自在に設けた
ことを特徴とする請求項３記載のショーケース。
【発明の詳細な説明】
【０００１】
【発明の属する技術分野】
本発明は、各種飲食物の小売店または飲食店等の店内に設置されるショーケースに関するものである。
【０００２】
【従来の技術】
従来、この種のショーケースとしては、前面、背面及び両側面を透明ガラス板で囲まれた商品収納部と、商品収納部内に互いに上下方向に異なった位置に設けられた複数の商品棚とを備え、各商品棚に任意の商品を陳列するようにしたものが知られている。このショーケースでは、一部の商品棚に加熱プレートを設け、加熱プレートを備えた商品棚の位置で商品収納部内を上下方向に仕切り、その上方を加熱し、下方を冷却することにより、商品収納部内に温蔵室と冷却室とを形成するようにしている。
【０００３】
【発明が解決しようとする課題】
ところで、前記ショーケースでは、加熱プレートを備えた複数の商品棚を上下方向の異なった位置にそれぞれ設け、任意の商品棚の位置で仕切ることにより、温蔵室と冷却室の広さを変更できるようにしているが、この場合には加熱プレートを備えた各商品棚の位置にそれぞれ仕切板を設ける必要がある。
【０００４】
しかしながら、仕切板は商品棚と商品収納部の内面との隙間を開閉する開閉板を備えるなど、複雑な構造を有しているため、仕切板を加熱プレートを備えた各商品棚ごとに設けるのは、コストの増加及び商品棚の組付性の低下を来すという問題点があった。
【０００５】
本発明は前記問題点に鑑みてなされたものであり、その目的とするところは、商品収納部内を任意の商品棚の位置で上下に仕切可能に構成した場合でも、仕切板によるコストの増加及び商品棚の組付性の低下を来すことのないショーケースを提供することにある。
【０００６】
【課題を解決するための手段】
本発明は前記目的を達成するために、請求項１では、商品収納部内に互いに上下方向に異なった位置に設けられた複数の商品棚と、商品収納部内を任意の商品棚の位置で上下に仕切る仕切板を備え、仕切板によって仕切られた商品収納部内の上方を加熱し、下方を冷却するようにしたショーケースにおいて、前記仕切板を少なくとも一部の複数の商品棚の下面に着脱自在に構成している。
【０００７】
これにより、商品棚から仕切板を取外して他の商品棚に取付けることにより、商品収納部内の仕切位置が変更されることから、各商品棚ごとに仕切板を設ける必要がない。
【０００８】
また、請求項２では、請求項１記載のショーケースにおいて、前記仕切板及び商品棚に、互いに商品収納部の前後方向に着脱自在に係合する係合手段を設けている。
【０００９】
これにより、請求項１の作用に加え、仕切板及び商品棚が係合手段によって互いに商品収納部の前後方向に着脱されることから、商品棚の上方または下方に商品が陳列されている場合でも、商品を取出すことなく仕切板の着脱を行うことが可能となる。
【００１０】
また、請求項３では、請求項２記載のショーケースにおいて、前記仕切板の幅方向両端側に、商品棚と商品収納部の内面との隙間を開閉する開閉部材を商品収納部の幅方向に移動自在に設けている。
【００１１】
これにより、請求項２の作用に加え、仕切板を着脱する際、仕切板の開閉部材を移動して商品収納部の内面との間に幅方向の隙間を開けることにより、仕切板の前後方向の着脱が容易になる。また、開閉部材によって商品収納部の幅方向両端側の内面との間を開放することにより、仕切板を取外すことなく商品収納部内の空気を仕切板の幅方向両端側を通じて上下に流通させることが可能となる。
【００１２】
また、請求項４では、請求項３記載のショーケースにおいて、前記仕切板の前後方向少なくとも一端側に、商品棚と商品収納部の内面との隙間を開閉する開閉部材を商品収納部の前後方向に移動自在に設けている。
【００１３】
これにより、請求項３の作用に加え、開閉部材によって商品収納部の前後方向の内面との間を開放することにより、商品収納部内の空気を仕切板の前後方向少なくとも一端側を通じて上下に流通させることが可能となる。
【００１４】
【発明の実施の形態】
図１乃至図８は本発明の一実施形態を示すもので、図１はショーケースの全体斜視図、図２はその概略正面断面図、図３は仕切板の平面図、図４及び図５はその底面図、図６は商品棚及び仕切板を示す分解斜視図、図７は仕切板の要部正面断面図、図８はショーケースの概略正面断面図である。
【００１５】
このショーケースは、縦長に形成されたショーケース本体１と、ショーケース本体１の上部側に形成された商品収納部２と、ショーケース本体１の下部に形成された機械室３と、商品収納部２内の上方に設けられた複数の加熱用商品棚４と、商品収納部２内の下方に設けられた複数の冷却用商品棚５と、商品収納部２内を任意の加熱用商品棚４の位置で仕切る仕切板６とを備えている。
【００１６】
ショーケース本体１は商品収納部２の前面及び背面をそれぞれ開閉する透明ガラス製の扉１ａを有し、商品収納部２の両側面は同じく透明ガラス製の側板１ｂによってそれぞれ覆われている。また、ショーケース本体１の幅方向両端の前後にはそれぞれ化粧枠１ｃが立設され、各化粧枠１ｃの上端には商品収納部２の上面を覆う天板１ｄが取付けられている。
【００１７】
商品収納部２は底面板２ａによって機械室３側と仕切られており、仕切板６の上方に温蔵室２ｂを形成し、その下方には冷蔵室２ｃを形成している。
【００１８】
機械室３は断熱壁３ａによって囲まれた通風路３ｂを有し、通風路３ｂの一端側及び他端側はそれぞれ商品収納部２内に連通している。通風路３ｂ内には蒸発器３ｃ及び送風機３ｄが設けられ、通風路３ｂの一端側から吸入した商品収納部２の空気を蒸発器３ｃによって冷却し、通風路３ｂの他端側から商品収納部２側へ吐出するようになっている。尚、図示していないが、機械室３内には蒸発器３ｃに接続された冷凍回路の圧縮機、凝縮器等の冷凍機器が収容されている。
【００１９】
加熱用商品棚４は、商品載置面を形成する加熱プレート４ａと、加熱プレート４ａの下方に配置された棚板４ｂとから構成されている。加熱プレート４ａは伝熱性の板状部材の裏面に電熱線を付設した周知ものもので、棚板４ｂ内には加熱プレート４ａの下面側を覆うグラスウール等の断熱材（図示せず）が充填されている。棚板４ｂの前端側及び後端側には棚板４ｂを支持する支持板４ｃがそれぞれ設けられ、支持板４ｃの幅方向両端には商品収納部２内に係止する係止部４ｄが設けられている。即ち、各係止部４ｄを商品収納部２内の任意の位置に係止することにより、加熱用商品棚４が商品収納部２内の上下方向任意の位置に取付けられるようになっている。この場合、商品棚４は前下りに傾斜して取付けられる。また、棚板４ｂの下面には、前後方向に延びる仕切板係合用の一対の係合レール４ｅが棚板４ｂの幅方向に間隔をおいて設けられている。
【００２０】
冷却用商品棚５は、商品を載置する棚板からなり、加熱用商品棚４と同様、商品収納部２内の上下方向任意の位置に取付けられるようになっている。
【００２１】
仕切板６は金属製の板状部材からなり、その上面には加熱用商品棚４の各係合レール４ｅに係合する一対の係合レール６ａが設けられている。即ち、各係合レール４ｅ，６ａは、図７に示すようにそれぞれ断面Ｌ字状に屈曲しており、互いに前後方向にスライド可能に係合するようになっている。この場合、仕切板６の係合レール６ａは、Ｌ字状に屈曲した部分の先端にカーリング部６ｂが形成され、カーリング部６ｂのみを商品棚４側の係合レール４ｅに接触させることにより、スライド時の滑り摩擦を少なくしている。
【００２２】
また、仕切板６の幅方向両端側には、商品収納部２の内面との隙間を開閉する断熱性の第１の開閉板７が設けられ、各開閉板７の先端には商品収納部２の内側面と圧接するパッキン７ａが取付けられている。各開閉板７は、仕切板６の下面に一対の支持板７ｂ，７ｃによって商品収納部２の幅方向に摺動自在に支持されるとともに、同方向に延びる複数の長孔７ｄを有し、各長孔７ｄに挿入された段付ネジ７ｅにより、長孔７ｄの長さだけ移動するように仕切板６に取付けられている。また、各開閉板７には、開閉板７が長孔７ｄの一端側に移動したときと、その他端側に移動したときに開閉板７をロックするロック板８がそれぞれ設けられている。ロック板８は、一端側を開閉板７に固定され、その他端側は弾性変形可能に形成されている。ロック板８の他端側には仕切板６の計２箇所に設けた孔７ｆに係合可能な係合部８ａが設けられ、その先端には把持片８ｂが設けられている。即ち、把持片８ｂに指先等を係止してロック板８の他端側を下方に弾性変形させることにより、ロック板８の係合部８ａを一方の孔７ｆから外して開閉板７のロックを解除し、例えば図７(a) に示すように開放位置にある開閉板７を、図７(b) に示すように閉鎖位置まで移動してロック板８の係合部８ａを他方の孔７ｆに係合させることにより、開閉板７が閉鎖位置でロックされるようになっている。尚、各開閉板７に設けられた丸孔７ｇは、指先等を挿入して開閉板７を移動させるためのものである。
【００２３】
また、仕切板６の前後方向一端側には、商品収納部２の内面との隙間を開閉する断熱性の第２の開閉板９が設けられ、開閉板９の先端及び仕切板６の前後方向一端にはそれぞれ商品収納部２の内側面と圧接するパッキン９ａ，７ｈが取付けられている。この開閉板９は、仕切板６の前後方向に延びる複数の長孔９ｂを有し、各長孔９ｂに挿入されたローレットネジ９ｃにより、長孔９ｂの長さだけ前後方向に移動するように仕切板６の上面側に取付けられている。即ち、ローレットネジ９ｃを緩めることにより、開閉板９を前後方向一端側または他端側に移動させ、ローレットネジ９ｃを締めることにより、開閉板９が固定されるようになっている。
【００２４】
以上のように構成されたショーケースにおいては、図２に示すように任意の加熱用商品棚４の下面に仕切板６を取付けるとともに、仕切板６によって商品収納部２内を上下方向に仕切ることにより、仕切板６の上方に温蔵室２ｂが形成され、その下方に冷蔵室２ｃが形成される。即ち、温蔵室２ｂ内は各加熱用商品棚４の加熱プレート４ａによって加熱され、冷蔵室２ｃ内は機械室３の蒸発器３ｃによって冷却される。その際、温蔵室２ｂ内の空気は、図中破線矢印で示すように温蔵室２ｂ内の加熱用商品棚４と商品収納部２の内面との隙間を流通し、冷蔵室２ｃ内の空気は、図中実線矢印で示すように冷蔵室２ｃ内の各商品棚４，５と商品収納部２の内面との隙間を流通する。この場合、冷蔵室２ｃ内に位置する加熱用商品棚４の加熱プレート４ａには通電されていない。
【００２５】
また、前記ショーケースにおいて、仕切板６を他の加熱用商品棚４の位置に移動することにより、温蔵室２ｂと冷蔵室２ｃの広さを変更することができる。この場合、まず図５に示すように仕切板６の第１の開閉板７をそれぞれ仕切板６の内側に向かって移動し、各開閉板７と商品収納部２との間に隙間を開ける。次に、ショーケース本体１の扉１ａを開放し、仕切板６を商品収納部２から引き出して加熱用商品棚４から取外す。続いて、仕切板６を他の任意の加熱用商品棚４の下面側に各係合レール４ｅ，６ａを係合させながら挿入することにより、仕切板６が他の加熱用商品棚４に取付けられる。そして、第１の開閉板７をそれぞれ仕切板６の外側に向かって移動し、各開閉板７と商品収納部２との隙間を閉鎖することにより、商品収納部２内が新たな位置で上下方向に仕切られる。
【００２６】
また、前記ショーケースにおいては、各加熱用商品棚４の加熱プレート４ａへの通電を行わずに、商品収納部２内を全て冷蔵室２ｃとして使用することも可能である。この場合、第１及び第２の開閉板７，９を仕切板６の内側に移動させて商品収納部２の内面との隙間を開放することにより、商品収納部２内の空気が仕切板６の幅方向両端側及び前後方向一端側を通じて上下に流通し、図８に示すように機械室３で冷却された空気が商品収納部２内の全体に循環する。
【００２７】
このように、本実施形態のショーケースによれば、商品収納部２内を上下方向に仕切る仕切板６を各加熱用商品棚４に対して着脱自在に構成し、仕切板６を任意の加熱用商品棚４に取付けることにより、商品収納部２の温蔵室２ｂと冷蔵室２ｃの広さを任意に変更できるようにしたので、各加熱用商品棚４ごとに仕切板を設ける必要がなく、低コスト化及び加熱用商品棚４の組付性の向上を図ることができる。
【００２８】
この場合、仕切板６及び商品棚４を係合レール４ｅ，６ａによって商品収納部２の前後方向に着脱するようにしたので、商品棚４の上方または下方に商品が陳列されている場合でも、商品を取出すことなく仕切板の着脱を行うことができ、仕切板６の着脱作業を容易且つ迅速に行うことができる。
【００２９】
また、仕切板６の幅方向両端側に、それぞれ商品収納部２の内面との隙間を開閉する第１の開閉板７を設けたので、仕切板６の位置を変更する際に各開閉板７によって商品収納部２の内面との間に隙間を開けることにより、仕切板６の着脱を容易に行うことができ、作業性の向上を図ることができる。また、商品収納部２内の全体を冷蔵室２ｃとして使用する場合、第１の開閉板７によって仕切板６の幅方向両端側を開放することができるので、仕切板６を取外すことなく商品収納部２内の全体に空気を流通させることができ、冷蔵のみの使用においても極めて有利である。
【００３０】
更に、仕切板６の前後方向一端側に、商品収納部２の内面との隙間を開閉する第２の開閉板９を設けたので、商品収納部２内の全体を冷蔵室２ｃとして使用する場合、第１の開閉板７による仕切板６の幅方向両端側の開放のみならず、第２の開閉板９により仕切板６の前後方向一端側も開放することができ、仕切板６の取付位置における空気の流通性をより一層向上させることができる。
【００３１】
また、前記実施形態では、各商品棚４，５を傾斜するように取付けたものを示したが、各商品棚４，５を他の傾斜角度または水平にして取付けることも可能である。この場合、傾斜角度が変わることにより、仕切板６の前端から後端までの水平方向の長さも変化するが、この場合は仕切板６の第２の開閉板９を前後方向に移動することにより、仕切板６と商品収納部２の内面との間に前後方向の隙間を生ずることなく各商品棚４，５の取付角度を変更することができ、仕切板６の仕切位置を確実に密閉することができる。
【００３２】
尚、前記実施形態では、仕切板６の前後方向一端側のみに第２の開閉板９を設けたものを示したが、他端側にも同様の開閉板を設けるようにしてもよい。
【００３３】
また、前記実施形態では、各加熱用商品棚４に設けた加熱プレート４ａによって温蔵室２ｂ内を加熱するようにしたものを示したが、このような加熱プレートを用いず、例えば商品収納部内の上部にヒータを設置し、ヒータで加熱した空気を温蔵室内に循環するようにしたものであってもよい。
【００３４】
【発明の効果】
以上説明したように、請求項１のショーケースによれば、各商品棚ごとに仕切板を設ける必要がないので、低コスト化及び商品棚の組付性の向上を図ることができる。
【００３５】
また、請求項２のショーケースによれば、請求項１の効果に加え、商品棚の上方または下方に商品が陳列されている場合でも、商品を取出すことなく仕切板の着脱を行うことができるので、仕切板の着脱作業を容易且つ迅速に行うことができる。
【００３６】
また、請求項３のショーケースによれば、請求項２の効果に加え、仕切板の位置を変更する際に商品収納部の内面との間に幅方向の隙間を開けることができるので、仕切板の着脱を容易に行うことができ、作業性の向上を図ることができる。更に、仕切板を取外すことなく商品収納部内の全体に空気を流通させることができるので、商品収納部の全体を冷蔵室として使用する場合においても極めて有利である。
【００３７】
また、請求項４のショーケースによれば、請求項３の効果に加え、商品収納部内の全体を冷却する場合、仕切板の幅方向両端側の開放のみならず、前後方向の少なくとも一端側も開放することができるので、商品収納部の全体を冷蔵室として使用する場合、仕切板の取付位置における空気の流通性をより一層向上させることができ、商品収納部内の全体を満遍なく冷却することができる。更に、商品棚の取付角度を変更する場合でも、仕切板と商品収納部の内面との間に前後方向の隙間を生ずることがないので、仕切板の仕切位置を確実に密閉することができる。
【図面の簡単な説明】
【図１】本発明の一実施形態を示すショーケースの全体斜視図
【図２】ショーケースの概略正面断面図
【図３】仕切板の平面図
【図４】開閉板を閉鎖した状態を示す仕切板の底面図
【図５】開閉板を開放した状態を示す仕切板の底面図
【図６】商品棚及び仕切板を示す分解斜視図
【図７】仕切板の要部正面断面図
【図８】ショーケースの概略正面断面図
【符号の説明】
１…ショーケース本体、２…商品収納部、４…加熱用商品棚、４ｅ…係合レール、５…冷却用商品棚、６…仕切板、６ａ…係合レール、７…第１の開閉板、９…第２の開閉板。
【図１】
0003920092.tif 000002
【図２】
0003920092.tif 000003
【図３】
0003920092.tif 000004
【図４】
0003920092.tif 000005
【図５】
0003920092.tif 000006
【図６】
0003920092.tif 000007
【図７】
0003920092.tif 000008
【図８】
0003920092.tif 000009